(57)【要約】【課題】　　　　ケースを構成する箱体と蓋体との連結ハーフカットのヒンジが刃物の食い込みによって切断されないようにして、収納商品の盗難を防止することにある。【解決手段】　　一側面に商品の出し入れ用の開口２１を有する箱体２２と、この箱体の周囲一辺にハーフカットのヒンジ２３を介し上記開口を開閉するように設けた蓋体２４とからなり、上記蓋体の閉鎖維持をはかることのできる適宜の錠装置を設けたケースＡにおいて、上記ヒンジの折れ線の両側に上記蓋体の閉鎖を阻害しない形状で、かつ千鳥状に配置すると共に、端面が上記折れ線の切断刃物の食い込み移動を止めるようなストッパ４１を設けたケース。【選択図】　　　　　図２
2004142833.tif 000002
【特許請求の範囲】
【請求項１】
　一側面に商品の出し入れ用の開口を有する箱体と、この箱体の周囲一辺にハーフカットのヒンジを介し上記開口を開閉するように設けた蓋体とからなり、上記蓋体の閉鎖維持をはかることのできる適宜の錠装置を設けたケースにおいて、上記ヒンジの折れ線の両側に上記蓋体の閉鎖を阻害しない形状で、かつ千鳥状に配置すると共に、端面が上記折れ線の切断刃物の食い込み移動を止めるようなストッパを設けたことを特徴とするケース。
【請求項２】
　一側面に商品の出し入れ用の開口を有する箱体と、この箱体の周囲一辺にハーフカットのヒンジを介し上記開口を開閉するように設けた蓋体とからなり、上記蓋体の閉鎖維持をはかることのできる錠装置を設けたケースにおいて、上記ケースの外側に被さる周囲壁の端縁に上記ヒンジの端面を覆う障害部を設けたことを特徴とするケース。
【請求項３】
　一側面に商品の出し入れ用の開口を有する箱体と、この箱体の周囲一辺にハーフカットのヒンジを介し上記開口を開閉するように設けた蓋体とからなり、上記蓋体の閉鎖維持をはかることのできる錠装置を設けたケースにおいて、このケース内の上記ヒンジの近くに前記ヒンジの切断刃物の食い込み移動止めの突出部を設けたことを特徴とするケース。
【請求項４】
　ケース本体の一側面に商品の収納ずみ収納ケースを出し入れする開口を設けると共に、上記ケース本体に上記嵌め込んだ収納ケースの下縁側の脱出を阻止する脱出防止部を設け、上記ケース本体の上側にハーフカットのヒンジを介し起倒自在になり、かつ倒れにともない上記嵌め込んである上記収納ケースの上部脱出を阻止する被せ体を設け、この被せ体の倒れ維持を適宜の錠装置によってはかることができるようにした陳列ケースにおいて、上記ヒンジの折れ線の両側に上記被せ体の倒れを阻害しない形状で、かつ千鳥状に配置すると共に、端面が上記折れ線の切断刃物の食い込み移動を止めるようなストッパを設けたことを特徴とする陳列ケース。
【請求項５】
　開閉支点にハーフカットのヒンジを用いたケースにおいて、このケースのヒンジ両側に閉鎖を阻害しない形状で千鳥状に配置すると共に、端面が上記ヒンジの折れ線の切断刃物の食い込み移動を止めるようなストッパを設けたことを特徴とするケース。
【発明の詳細な説明】
【技術分野】
【０００１】　この発明は、例えばディスクなどの商品を収納した顧客による開放阻止手段付のケースであって、ケースを構成する箱体と蓋体との開閉ハーフカットのヒンジを刃物で切断されないようにしたケースに関する。
【背景技術】
【０００２】　従来の顧客による開放阻止手段付のケースは、合成樹脂による成型箱体と、この箱体の一辺にハーフカットのヒンジを介し開閉自在に設けた蓋体とでケースＫが構成されている。【０００３】　上記の箱体は、側壁と、この側壁の周縁から連なって側壁の裏面方向に突出する周壁とで構成され、上記の蓋体は、周壁の一辺壁の縁にハーフカットのヒンジを介し連成した側壁と、この側壁のハーフカットを有しない辺縁から連なって側壁の裏面方向に突出する周壁とで構成されている。【０００４】　なお、ハーフカットのヒンジは、周壁の一辺壁の両端を周壁に対し切り離して、側壁と周壁の両端切り離し辺壁とのさかいめにもヒンジを設けてある。（例えば特許文献１参照）。【０００５】　そして、ケースは、閉鎖状態維持のための錠装置が設けてある。【０００６】　上記の錠装置を設ける要因は、ショップでの陳列時にケースを開放して収納してある商品、例えばディスクの取り出しによる盗難を防止することにある。（例えば、特許文献２、特許文献３、特許文献４参照）。【０００７】　そして、販売や貸し出しに際しショップ側によって錠装置によるケースの開放阻止を解除することができるようになっている。【０００８】
【特許文献１】　特開２００２−１１５４３５号公報（図１、図３）
【０００９】
【特許文献２】　特願平１１−１４３８３６号
【００１０】
【特許文献３】　特願２００１−３５６７４９号
【００１１】
【特許文献４】　特願２００２−２０３３０５号
【発明の開示】
【発明が解決しようとする課題】
【００１２】ところで、特許文献１の構造のものは、錠装置によってケースの開放を阻止（ディスクの盗難を防止）することができても、ハーフカットのヒンジの端縁が周壁の端面に到達しているので、露出したハーフカットのヒンジの端縁に刃物の刃先を押し当ててヒンジに沿って刃物を移動するによってヒンジが切断される。【００１３】　このため、ケースを開放して収納商品（ディスク）を取り出すことができる問題が発生した。【００１４】　そこで、この発明課題は、ヒンジの切断を阻止して収納商品の取り出しを防止するケースを提供することにある。
【課題を解決するための手段】
【００１５】　上記の課題を解決するために、この発明は、一側面に商品の出し入れ用の開口を有する箱体と、この箱体の周囲一辺にハーフカットのヒンジを介し上記開口を開閉するように設けた蓋体とからなり、上記蓋体の閉鎖維持をはかることのできる適宜の錠装置を設けたケースにおいて、上記ヒンジの折れ線の両側に上記蓋体の閉鎖を阻害しない形状で、かつ千鳥状に配置すると共に、端面が上記折れ線の切断刃物の食い込み移動を止めるようなストッパを設けた構成を採用する。【００１６】　また、一側面に商品の出し入れ用の開口を有する箱体と、この箱体の周囲一辺にハーフカットのヒンジを介し上記開口を開閉するように設けた蓋体とからなり、上記蓋体の閉鎖維持をはかることのできる錠装置を設けたケースにおいて、上記ケースの外側に被さる周囲壁の端縁に上記ヒンジの端面を覆う障害部を設けた構成を採用する。【００１７】　さらに、一側面に商品の出し入れ用の開口を有する箱体と、この箱体の周囲一辺にハーフカットのヒンジを介し上記開口を開閉するように設けた蓋体とからなり、上記蓋体の閉鎖維持をはかることのできる錠装置を設けたケースにおいて、このケース内の上記ヒンジの近くに前記ヒンジの切断刃物の食い込み移動止めの突出部を設けた構成を採用する。【００１８】　また、ケース本体の一側面に商品の収納ずみ収納ケースを出し入れする開口を設けると共に、上記ケース本体に上記嵌め込んだ収納ケースの下縁側の脱出を阻止する脱出防止部を設け、上記ケース本体の上側にハーフカットのヒンジを介し起倒自在になり、かつ倒れにともない上記嵌め込んである上記収納ケースの上部脱出を阻止する被せ体を設け、この被せ体の倒れ維持を適宜の錠装置によってはかることができるようにした陳列ケースにおいて、上記ヒンジの折れ線の両側に上記被せ体の倒れを阻害しない形状で、かつ千鳥状に配置すると共に、端面が上記折れ線の切断刃物の食い込み移動を止めるようなストッパを設けた構成を採用することもある。【００１９】　さらに開閉支点にハーフカットのヒンジを用いたケースにおいて、このケースのヒンジ両側に閉鎖を阻害しない形状で千鳥状に配置すると共に、端面が上記ヒンジの折れ線の切断刃物の食い込み移動を止めるようなストッパを設けた構成を採用する。
【発明の効果】
【００２０】　この発明のケースや陳列ケースによれば、ハーフカットのヒンジの折れ線の両側に設けたストッパによって刃物によるヒンジの切断を阻止することができる。【００２１】　このため、ヒンジの切断による収納商品の取り出しを防止して盗難防止に役立つ。【００２２】　また、障害部や突出部によっても同様の効果を発揮する。
【発明を実施するための最良の形態】
【発明を実施するための最良の形態】
【００２３】　この発明の実施の形態を添付図面に基づいて説明する。【００２４】　この発明の第一の実施形態では、図１から図１１に示すように、一側面に商品ａ（例えば、図示の場合ディスクを収納している）の出し入れ用の開口２１を有する箱体２２と、この箱体２２と、この箱体２２の周囲一辺にハーフカットのヒンジ２３を介し開口２１を開閉するように設けた蓋体２４とでケースＡを形成し、ケースＡには蓋体２４の閉鎖維持をはかることのできる錠装置Ｂが設けてある。【００２５】　上記の箱体２２は、側壁２５と、この側壁２５の辺縁から連なって側壁２５の裏面方向に突出する周囲壁２６とで構成され、蓋体２４は、一辺の周囲壁２６にハーフカットのヒンジ２３を介し連なる側壁２７と、この側壁２７のヒンジ２３の存在しない各辺縁から連なって側壁２７の裏面方向に突出する周囲壁２８とで構成され、合成樹脂製ケースＡの成型の際に箱体２２，ヒンジ２３及び蓋体２４を同時に形成する。【００２６】　なお、ヒンジ２３は、図９に示すように周囲壁２６と側壁２７との境に設ける以外に、図３から図８に示すようにヒンジ２３を有する周囲壁２６の両端を平行二辺の周囲壁２６から切り離し、この両端切り離しの周囲壁２６と側壁２５との境にハーフカットのヒンジ２３を設ける以外に、周囲壁２６の二分位置の線にハーフカットのヒンジ（図示省略）を設け、ヒンジを有する二分された両周囲壁２６に両側壁２５、２７を一体に連なるものや、ヒンジを有する二分された周囲壁２６と側壁２５、或いは両側壁２５、２７の境にもハーフカットのヒンジ（いずれも図示省略）を設けることもある。【００２７】　上記の錠装置Ｂは、図１及び図１１に示すように内と外とで重なる周囲壁２６、２８のヒンジ２３の反対側片方にショップ側のキー部材３１の貫孔３２を、他方にケースＡの閉鎖にともないキー部材３１の衝突を回避する欠落の衝突回避部３３を設け、キー部材３１の末端にキー部材３１の差し込み終了にともないケースＡの外側に嵌り込んで係合関係になり、係合関係によってケースＡの開放を阻止する係合片３４を設けた方式（特願２００１−３５６７４９号）や、上記方式のキー部材３１とケースＡとにキー部材３１の差し込み終了にともない係合孔と係合爪との係止手段によって係止関係になってキー部材３１の抜き取りが阻止され、ショップ側の解錠具によって係止関係を解除する方式（特願２００１−３５６７４９号）や、箱体と蓋体との並列係合溝に係合状にスライダを差し込み、また差し込んだスライダとケースとが係止手段によってショップ側以外での係止手段の係止関係を解除することができない方式（特願平１１−１４３８３６号）や、ケースＡのヒンジ２３の反対側に嵌合部材を嵌装してケースＡの開放を阻止する方式（特願平１１−１４３８３６号）や鉄片と磁石の組み合わせなどを採用すればよい。【００２８】　要するに、陳列時に錠装置ＢによってケースＡの開放を阻止して収納商品ａの抜き取りを防止することにある。【００２９】　なお、図１に示すように、キー部材３１に盗難防止のタグ３７を設けて、店外への持ち出しを防止する。【００３０】　上記ヒンジ２３の折れ線の両側には、蓋体２４の閉鎖を（箱体２２側にあっても同様に）阻害しない形状でかつ千鳥状に配置すると共に、点在的な直列に並ぶ端面によって折れ線の切断刃物の食い込み移動を止めるようなストッパ４１−１〜４１−ｎが設けてある。【００３１】　上記のストッパ４１−１〜４１−ｎは、図示の場合ヒンジ２３の折れ線に沿って各列点在的に五個並べて、蓋体２４の閉鎖時点に片側のストッパ４１−１〜４１−ｎ間にもう片側のストッパ４１−１〜４１−ｎが噛み合い状に嵌り込んで直列状に並ぶようにしたが、自由に数を決定（ストッパの数を多くすると、刃物のストップが頻繁になる）し、また、配置位置もヒンジ２３の折れ線の両端部のみに複数個一組になるように配置して、折れ線の端から内方への刃物の移動を止め、或いは図示のように折れ線の全長に設けて、折れ線の途中から突き刺した刃物の移動を止めるようにしてもよい。【００３２】　なお、上記の各ストッパ４１−１〜４１−ｎをケースＡの成型の際一体的に設けてコストの低減をはかるようにしたが、別部品を固着して設けることもある。【００３３】　上記のストッパ４１−１〜４１−ｎのケースＡ（箱体２２、蓋体２４）の閉鎖を阻害しない形状としては、図５及び図６に示すように、手前のハーフカットの溝形状の一側面が、箱体２２側にあっては側板２７の内面から直角に入り込み、次いでヒンジ２３の折れ線に向うへ字状のカット面部４２が他側面にあっては、周囲壁２６の内面からヒンジ２３の折れ線に斜めに向う直線上のカット面部４３が並列状に設けられ、次のハーフカットの溝形状の一側面に上述の直線状のカット面部４３を、他側面に上述のへ字状のカット面部４２を形成する。【００３４】　すなわちハーフカットの溝形状を図５の手前と図６の次とが対象になっている。【００３５】　すると、ケースＡに閉鎖にともない図７、８に示すようにへ字状のカット面部４２に直線状のカット面部４３がそれぞれ嵌り込み、嵌り込んだ状態において手前の直線状のカット面部４３に対し次のへ字状のカット面部４２の端面がラップ状に突出することになる。【００３６】　その結果、端や途中のヒンジ２３の折れ線を切断しながら刃物を逐次折れ線に沿って移動させようとしても、一つのストッパ４１−１〜４１−２の折れ線（ヒンジ２３の）を切断することができても次のストッパ４１−１〜４１−ｎの端面に刃物が当たって刃物の移動をできなくする。【００３７】　このため、ヒンジ２３の全部或いは略全部の切断がないためケースＡに収納してある商品ａの抜き取りにともなう盗難を防止する。【００３８】　なお、ストッパの形状は一例で限定されない。【００３９】　この発明の第二の実施形態では、図１２から図１４に示すように、一側面に商品（例えばディスク）の出し入れ用の開口２１を有する箱体２２と、この箱体２２の周囲一辺にハーフカットのヒンジ２３を介し開口２１を開閉するように設けた蓋体２４とでケースＡを形成し、ケースＡには、蓋体２４の閉鎖維持をはかる錠装置（第一の実施形態と同様につき図示省略してある）が設けてある。【００４０】　上記ケースＡを形成する箱体２２、ヒンジ２３、蓋体２４及び錠装置の構成は、第一の実施形態と同様につき説明を省略する。【００４１】　上記ケースＡの外側に被さる周囲対向二辺の周囲壁２８、２８の端縁には、ヒンジ２３の端面を覆う障害部５１が設けてある。【００４２】　上記の障害部５１としては、周囲壁２８、２８の端縁を突出する、すなわち、延長させて設ける。【００４３】　なお、ヒンジ２３を有する周囲壁２６の丈（両端縁間の長さを短くし、内側周囲壁２６の端縁）を長くして設けた障害部（図示省略）によってヒンジ２３の端面を覆って同等の効果を発揮させることもできる。【００４４】　上記のように構成すると、ヒンジ２３の端面に刃物を押し当てようとしても、障害部５１によって阻止する。【００４５】　このため、刃物を用いたヒンジ２３の切り離しが阻止されて、ケースＡに収納してある商品の取り出しを防止する。【００４６】　この発明の第三の実施形態では、図１５から図１７に示すように、一側面に商品（例えばディスク）の出し入れ用の開口２１を有する箱体２２と、この箱体２２の周囲一辺にハーフカットのヒンジ２３を介し開口２１を開閉するように設けた蓋体２４とでケースＡを形成し、ケースＡには、蓋体２４の閉鎖維持をはかる錠装置（第一の実施形態と同様につき図示省略してある）が設けてある。【００４７】　上記ケースＡを形成する箱体２２、ヒンジ２３、蓋体２４及び錠装置の構成は、第一の実施形態と同様につき説明を省略する。【００４８】　上記ケースＡ内のヒンジ２３の近くには、ヒンジ２３の切断刃物の移動を衝突によって止める突出部６１が設けられている。【００４９】　上記の突出部６１は、図示の場合ヒンジ２３の全長に点在的な配置で多くの片を突出したが、片にかえて突起などであってもよい。【００５０】　そして、ヒンジ２３の全長以外にヒンジ２３の両方の端から内方所定の範囲など所定の部分に設けることもある。【００５１】　勿論、突出部６１は、ケースＡの成型の際一体に設ける以外に、別部品を適宜の手段によって固定してもよい。【００５２】　そして、上記の突出部６１を、図１８から図２３に示すように、片側列の櫛歯状の突出部６１がもう片側列の櫛歯状の突出部６１間にケースＡの閉鎖にともない嵌り込むと共に、噛み合い状に嵌り込んだ櫛歯状突出部６１の各隣接面に間隙が発生しないように各突出部６１の幅（この幅は、突出部６１の列方向）寸法を定めておくことにより刃物の移動がなくなって切断阻止に効果を発揮する。【００５３】　上記条件の突出部６１は、図１８に示す二条の平行する両ヒンジ２３のそれぞれ片側のみや図２０に示すように二条の平行する両ヒンジ２３のそれぞれの両側に設けることもできる。【００５４】　勿論、ヒンジ２３の端面に切断刃の喰い込みを阻止する障害部５１を、例えば第二の実施形態と同様に設けておけばよい。【００５５】　なお、突出部６１は、ヒンジ２３の全長、ヒンジ２３の端面から内方など所定の範囲に設ける。【００５６】　上記のように構成すると、ケースＡの閉鎖時ヒンジ２３に接近して突出部６１が存在（図１７に示すように）するので、ヒンジ２３の折れ線の端から刃物を食い込ませて刃物の移動により切断しようとしても、刃物と突出部６１との当接によって刃物の移動が阻止される。【００５７】　このため、ヒンジ２３の切断にともなうケースＡ内からの商品の取り出しを防止する。【００５８】　この発明の第四の実施形態では、図２４から図２７に示すように、ケース本体６３の一側面に商品（例えばディスクなど）の収納ずみ収納ケースＳを出し入れする開口６４を設けると共に、ケース本体６３に入れ込んだ収納ケースＳの下縁脱出を阻止する脱出防止部６５が設けてある。【００５８】　上記の脱出防止部６５は、図示の場合ケース本体６３の周囲下辺壁の前縁から上方に突出する（図示の下辺壁全長に限定されず、点在的や下辺壁の両コーナーに設けることもある）突出片によって形成する。【００５９】　また、ケース本体６３の上側には、ハーフカットのヒンジ２３を介し起倒自在になり、かつ倒れにともない上記嵌め込んである収納ケースＳの上部脱出を阻止する（引っかかりによる）被せ体６６が設けてある。【００６０】　上記被せ体６６は、図示の場合倒立Ｌ形の屈曲壁６７と、この屈曲壁６７の両端面を閉鎖する端壁６８とで形成され、ハーフカットのヒンジ２３は、図示の場合ケース本体６３の側壁６９の上縁と屈曲壁６７との間にケース本体６３と被せ体６６との合成樹脂による一体成型の際設ける。【００６１】　さらに、被せ体６６には、倒した姿勢を維持するための錠装置Ｃが設けてある。【００６２】　上記の錠装置Ｃは、図示の場合屈曲壁６７の裏面から下向きに突出する弾片７０と、この弾片７０の先端側面に設けた爪７１と、側壁６９の内側面上部から突出する突出壁７２と、この突出壁７２に押し込まれる弾片７０が貫通する透孔７３とで構成し、被せ体６６の倒れにともない透孔７３に弾片７０の先端部が貫通すると共に、貫通にともない透孔７３の周面と爪７１との当接にともない弾片７０を押し戻し、爪７１が通過すると弾片７０の押し戻しが解除されて透孔７０の縁に爪７１が係合する。【００６３】　このため、被せ体６６の起立が阻止されて収納ケースＳと被せ体６６との引っかかりの関係を維持する。【００６４】　このとき、図２５に示すように収納ケースＳの上面に弾片７０の先端が当接或いは接近により収納ケースＳの上昇を阻止して脱出防止部６５と収納ケースＳの下縁との引っかかりを維持する。【００６５】　透孔７３に対する爪７１の係合関係の解除は、解除具の突片を被せ体６６の貫通孔７５に押し込むと、弾片７０の外側面に設けてある爪７１側に向けて突出度合いの大きいテーパー部７６に当接して弾片７０を押し戻すので、透孔７３の縁と爪７１との係合関係がなくなる。【００６６】　すると、被せ体６６を図２４に示すように起こすことができる。【００６７】　なお、錠装置Ｃは、上記の方式に限定されず、他の方式を採用することもある。【００６８】　要するに、被せ体６６を倒すことによってショップの店員による解錠以外に被せ体６６を起こすことができないようにする。【００６９】　また、上記ヒンジ２３の両側には、被せ体６６の倒れを阻害しない形状で、かつ千鳥状に配置すると共に、点在的な直列状に並ぶ端面によって折れ線の切断刃物の食い込み移動を止めるようなストッパ４１−１〜４１−ｎが設けてある。【００７０】　上記ストッパ４１−１〜４１−ｎの形状並びに作用効果は、第一の実施形態と同様につき説明を省略する。【００７１】　この発明の第五の実施形態では、開閉支点にハーフカットのヒンジ２３を用いたケースで、このケースのヒンジ２３の折れ線の両側には、ケースの閉鎖を阻害しない形状で千鳥状に配置すると共に、端面がヒンジ２３の折れ線を切断しようとする刃物の食い込み移動を止めるストッパ４１−１〜４１−ｎが設けてある。【００７２】　このケースは、第一の実施形態のケースＡに限定されず、その他のケースで、要するに開閉支点にハーフカットのヒンジを用いたもので、刃物によるヒンジの切断を阻止する。【００７３】　上記のストッパの形状や、作用効果は、第一の実施形態と同様につき説明を省略する。
【図面の簡単な説明】
【００７４】
【図１】　この発明の第一の実施形態を示す斜視図
【図２】　同上の展示平面図
【図３】　ハーフカットのヒンジを示す拡大正面図
【図４】　同上の斜視図
【図５】　図３のＸ−Ｘ線に沿う拡大平面図
【図６】　図３のＹ−Ｙ線に沿う拡大平面図
【図７】　図５の屈曲を示す横断平面図
【図８】　図６の屈曲を示す横断平面図
【図９】　ヒンジの他の例を示す横断平面図
【図１０】　ヒンジ部分の縦断正面図
【図１１】　錠装置を示す縦断側面図
【図１２】　第二の実施形態を示す書正面図
【図１３】　要部の斜視図
【図１４】　同要部の斜視図
【図１５】　第三の実施形態を示す正面図
【図１６】　同上の要部を示す斜視図
【図１７】　同要部の横断平面図
【図１８】　突出部の他の例を示す正面図
【図１９】　同上の斜視図
【図２０】　突出部の他の例を示す正面図
【図２１】　同上の斜視図
【図２２】　展示ケースのヒンジの部分を示す横断平面図
【図２３】　閉鎖ケースのヒンジの部分を示す横断平面図
【図２４】　第四の実施形態を示す斜視図
【図２５】　一部切欠正面図
【図２６】　同縦断側面図
【図２７】　同上の要部を示す縦断拡大側面図
【符号の説明】
【００７５】Ａ　　　　　　ケース
ａ　　　　　　商品
Ｂ，Ｃ　　　　錠装置
２１　　　　　開口
２２　　　　　箱体
２３　　　　　ヒンジ
２４　　　　　蓋体
２５、２７　　側壁
２６、２８　　周囲壁
４１−１〜４１−ｎ　　ストッパ
４２　　　　　へ字状のカット面部
４３　　　　　直線状のカット面部
５１　　　　　障害部
６１　　　　　突出部
６３　　　　　ケース本体
６４　　　　　開口
Ｓ　　　　　　収納ケース
６５　　　　　脱出防止部
６６　　　　　被せ体
【図１】
2004142833.tif 000003
【図２】
2004142833.tif 000004
【図３】
2004142833.tif 000005
【図４】
2004142833.tif 000006
【図５】
2004142833.tif 000007
【図６】
2004142833.tif 000008
【図７】
2004142833.tif 000009
【図８】
2004142833.tif 000010
【図９】
2004142833.tif 000011
【図１０】
2004142833.tif 000012
【図１１】
2004142833.tif 000013
【図１２】
2004142833.tif 000014
【図１３】
2004142833.tif 000015
【図１４】
2004142833.tif 000016
【図１５】
2004142833.tif 000017
【図１６】
2004142833.tif 000018
【図１７】
2004142833.tif 000019
【図１８】
2004142833.tif 000020
【図１９】
2004142833.tif 000021
【図２０】
2004142833.tif 000022
【図２１】
2004142833.tif 000023
【図２２】
2004142833.tif 000024
【図２３】
2004142833.tif 000025
【図２４】
2004142833.tif 000026
【図２５】
2004142833.tif 000027
【図２６】
2004142833.tif 000028
【図２７】
2004142833.tif 000029